(57)【要約】【課題】液袋の閉時に液漏れを確実に防止する。【解決手段】液袋１の注出路画成部２３を袋開閉装置３の第１面部材３０及び第２面部材４０にて挟む。第１面部材３０にスライダ５０をガイド部３５に沿ってスライド可能に設ける。第２面部材４０の閉位置と対応する位置には受け部４５を設ける。スライダ５０が閉位置のとき、スライダ５０と受け部４５とによって注出路画成部２３を挟み付ける。スライダ５０が開位置のとき、スライダ５０と受け部４５とが互いにずれる。【選択図】図１
2015231856.tif 000002
【特許請求の範囲】
【請求項１】
液体を収容する液袋の注出路を開閉する袋開閉装置であって、
前記液袋における前記注出路を画成する注出路画成部を挟んで互いに対向する第１面部材及び第２面部材と、スライダとを備え、
前記第１面部材には、前記第１、第２面部材どうしの対向方向と交差するスライド方向に延びるガイド部が設けられ、前記ガイド部が、前記スライダを前記スライド方向における開位置と閉位置との間で案内可能かつ脱落不能に係止し、
前記第２面部材における前記第１面部材との対向面には受け部が設けられており、
前記スライダが前記閉位置のとき、前記スライダと前記受け部とによって前記注出路画成部を挟み付けて前記注出路を閉止し、
前記スライダが前記開位置のとき、前記スライダと前記受け部とが互いに前記スライド方向にずれることによって前記挟み付けが解除されることを特徴とする袋開閉装置。
【請求項２】
前記ガイド部が、前記閉位置に向かうにしたがって前記第２面部材に近づくように傾斜されていることを特徴とする請求項１に記載の袋開閉装置。
【請求項３】
前記第２面部材の前記対向面における前記受け部の開位置側部には、前記開位置に向かうにしたがって前記前記第１面部材から遠ざかるように傾斜された逃げ斜面が形成されていることを特徴とする請求項１又は２に記載の袋開閉装置。
【請求項４】
請求項１〜３の何れか１項に記載の袋開閉装置を含む液袋であって、
液体を収容する液室を画成する液室画成部及び前記注出路画成部を有する袋本体を備え、前記袋本体における前記液室の一部が前記注出路画成部内へ延出して前記注出路となり、
前記袋開閉装置における前記第１面部材及び前記第２面部材が、それぞれ前記注出路の延出方向と交差する路幅方向に前記注出路を跨ぐようにして前記注出路画成部に被さるとともに、これら第１、第２面部材の前記路幅方向の互いに同じ側の端部どうしが直接又は前記袋本体を介して互いに接合されていることを特徴とする液袋。
【発明の詳細な説明】
【技術分野】
【０００１】
本発明は、例えば化粧液、シャンプー、リンス、液体洗剤、飲用液、薬液等の液体を入れる液袋及び該液袋の開封部を開閉する袋開閉装置に関する。
【背景技術】
【０００２】
一般に、この種の液袋は、複数枚の柔軟シートにて構成されている。これら柔軟シートが互いに重ね合わされ、かつ周縁部がヒートシールにて封止されることによって、内部に密封された液室が形成されている。この液室に化粧液、シャンプー、リンス、液体洗剤等の液体（内容液）が充填されている。液室から注出路が延出されている。この液袋における注出路の先端部を切除することで、液袋が開封される。通常、この種の液袋の内容液は、例えばノズル付きの専用容器に詰め替えられて利用に供される。一方、液袋の内容液を専用容器に詰め替えることなく直接使用することも考えられる。或いは、液袋の内容液の一部だけを専用容器に補充し、残りの内容液を液袋に残留させておくこともあり得る。そのような場合、開封済みの液袋から内容液が不用意に漏れないようにし、かつ必要に応じて内容液を注出できるようにすることが望ましい。
【０００３】
そこで、特許文献１では、洗濯バサミ状の留め具を液袋の開封部に挟み付けている。
特許文献２では、液袋を保持するホルダを備え、このホルダに一対の挟持板が設けられている。一対の挟持板の構造は、特許文献１の留め具と同様に、洗濯バサミ状である。すなわち、これら挟持板における先端側のハサミ部どうしが、液袋の開封部を弾性的に挟み付けている。一対の挟持板におけるハサミ部とは反対側の端部は、ホルダから斜め外側へ突出するレバー部となっている。各挟持板のハサミ部とレバー部との中間にはヒンジ部が設けられている。一対の挟持板のレバー部どうしを互いに接近するように押すと、各挟持板がヒンジ部を中心にしてシーソーのように回転されることで、ハサミ部が開き、液袋の開封部が解放される。
特許文献３では、液袋を収容するケースを備え、ケースの上側部分にはスライダが上下スライド可能に設けられている。このスライダに液袋の注出口の上端部が係止されている。また、注出口の下端部はケースに固定されている。スライダを最上位置にすると、注出口が上下に引っ張られることで閉じられる。スライダを最上位置から下降させると、注出口が弛んで開かれる。
【先行技術文献】
【特許文献】
【０００４】
【特許文献１】特開２０１２−０５１６１５号公報
【特許文献２】実用新案登録第３１８３３９６号公報
【特許文献３】特許第４２２６１６１号公報
【発明の概要】
【発明が解決しようとする課題】
【０００５】
特許文献１、２の洗濯バサミ状の袋開閉装置によって液袋の開封部を閉じた場合、例えば液袋を鞄に入れて持ち運んだり液袋が何かの下敷きになったりすると、レバー部に押し荷重が掛かってハサミ部が開くおそれがある。そうすると、液袋の内容液が注出口から漏れてしまう。特許文献３においては、スライダが最上位置から下がり易く、注出口が弛んで内容液が漏れるおそれがある。
本発明は、上記事情に鑑み、液袋の閉時に液漏れを確実に防止できる袋開閉装置、及びそのような袋開閉装置を含む液袋を提供することにある。
【課題を解決するための手段】
【０００６】
前記問題点を解決するために、本発明は、液体を収容する液袋の注出路を開閉する袋開閉装置であって、前記液袋における前記注出路を画成する注出路画成部を挟んで互いに対向する第１面部材及び第２面部材と、スライダとを備え、前記第１面部材には、前記第１、第２面部材どうしの対向方向と交差するスライド方向に延びるガイド部が設けられ、前記ガイド部が、前記スライダを前記スライド方向における開位置と閉位置との間で案内可能かつ脱落不能に係止し、前記第２面部材における前記第１面部材との対向面には受け部が設けられており、前記スライダが前記閉位置のとき、前記スライダと前記受け部とによって前記注出路画成部を挟み付けて前記注出路を閉止し、前記スライダが前記開位置のとき、前記スライダと前記受け部とが互いに前記スライド方向にずれることによって前記挟み付けが解除されることを特徴とする。
この袋開閉装置によれば、スライダを閉位置にした時、スライダと受け部とによって注出路画成部を挟み付けることで、注出路を閉止するとともにスライダを閉位置に拘束することができる。これによって、液漏れを確実に防止することができる。また、スライダを開位置にしたときは、挟み付けが解除されることで注出路を開くことができ、内部の液体を注出することができる。
【０００７】
前記ガイド部が、前記閉位置に向かうにしたがって前記第２面部材に近づくように傾斜されていることが好ましい。これによって、スライダを開位置から閉位置へスライドさせるにしたがって、スライダが第２面部材側へ変位する。したがって、閉位置のスライダを受け部に強く押し付けることができ、スライダと受け部との間に注出路画成部を強く挟み付けることができる。よって、注出路を一層確実に閉止することができ、液漏れを一層確実に防止することができる。また、スライダの開位置と閉位置との間のストロークを短くでき、袋開閉装置をコンパクトにできる。
【０００８】
前記第２面部材の前記対向面における前記受け部の開位置側部には、前記開位置に向かうにしたがって前記前記第１面部材から遠ざかるように傾斜された逃げ斜面が形成されていることが好ましい。これによって、スライダを開位置から閉位置へスライドさせる際、スライダが受け部に引っ掛かってスライド不能になるのを回避できる。
【０００９】
また、本発明は、前記の袋開閉装置を含む液袋であって、液体を収容する液室を画成する液室画成部及び前記注出路画成部を有する袋本体を備え、前記袋本体における前記液室の一部が前記注出路画成部内へ延出して前記注出路となり、前記袋開閉装置における前記第１面部材及び前記第２面部材が、それぞれ前記注出路の延出方向と交差する路幅方向に前記注出路を跨ぐようにして前記注出路画成部に被さるとともに、これら第１、第２面部材の前記路幅方向の互いに同じ側の端部どうしが直接又は前記袋本体を介して互いに接合されていることを他の特徴とする。
この液袋によれば、スライダを閉位置にした時、スライダと受け部とによって注出路画成部を挟み付けることによって、注出路を閉止するとともにスライダを閉位置に拘束することができ、液漏れを確実に防止することができる。また、スライダを開位置にしたときは、挟み付けが解除されることで注出路を開くことができ、内部の液体を注出することができる。
【発明の効果】
【００１０】
本発明によれば、スライダを閉位置にした時、注出路を確実に閉止することができ、液漏れを確実に防止することができる。
【図面の簡単な説明】
【００１１】
【図１】図１は、本発明の一実施形態を示し、液袋の正面図である。
【図２】図２は、前記液袋に設けられた袋開閉装置の分解斜視図である。
【図３】図３（ａ）は、前記袋開閉装置を閉位置の状態で示す正面図である。図３（ｂ）は、前記袋開閉装置を開位置の状態で示す正面図である。図３（ｃ）は、前記袋開閉装置の第２面部材の正面図である。
【図４】図４（ａ）は、前記液袋を、注出路画成部の先端部が切除（開封）され、かつ閉位置にした状態で示す、図１のＩＶ−ＩＶ線に沿う断面図である。図４（ｂ）は、同図（ａ）において、内容液を注出するために液袋を開位置にした状態で示す断面図である。
【図５】図５（ａ）は、前記液袋を閉位置の状態で示す、図１のＶ−Ｖ線に沿う断面図であり、図５（ｂ）は、同図（ａ）において、内容液を注出するために液袋を開位置の状態で示す断面図である。
【発明を実施するための形態】
【００１２】
以下、本発明の一実施形態を図面にしたがって説明する。
図１に示すように、液袋１は、袋本体２と、袋開閉装置３とを備えている。図５に示すように、袋本体２は、表側フィルム２ａと、裏側フィルム２ｂを含む。これら表裏のフィルム２ａ，２ｂどうしが重ね合わされるとともに周縁部どうしがヒートシールにて封止されている。図１において、袋本体２のヒートシール部２９（袋開閉装置３に隠れた部分を除く）を斜線部にて示す。
なお、袋本体２の底部等は、別のフィルムにて構成されていてもよい。表裏のフィルム２ａ，２ｂの下側の縁部と前記別のフィルムの周縁部とをヒートシールしてもよい。また、１枚のフィルムを二つ折りにし、折り目以外の３つの縁をヒートシールすることによって、袋本体２を構成してもよい。
【００１３】
図１及び図５に示すように、袋本体２の内部には、液室２１ａと、注出路２３ａとが形成されている。液室２１ａは、袋本体２の上側部の一側部分（図１において右側）を除く大部分を占めている。袋本体２の前記大部分は、液室画成部２１となっている。液室２１ａには、例えば化粧液等の内容液９（液体）が収容されている。
【００１４】
袋本体２の上側部の前記一側部分は、注出路画成部２３となっている。液室２１ａの一部が、袋本体２の上側部の前記一側部分とは反対側（図１において左側）の部分から注出路画成部２３へ延出することで、注出路画成部２３の内部に注出路２３ａが形成されている。注出路２３ａは、袋本体２の上縁に沿って細長く延びている。ヒートシール部２９の一部２９ｅが、注出路２３ａの下端部と、その下側の液室２１ａとの間に入り込み、注出路２３ａの下端部と、その下側の液室２１ａとを隔てている。
【００１５】
図１及び図２に示すように、注出路画成部２３には袋開閉装置３が設けられている。袋開閉装置３は、第１面部材３０と、第２面部材４０と、スライダ５０とを備えている。図４（ａ）及び図５（ａ）に示すように、第１面部材３０は、注出路画成部２３の表側（図４において上側、図５において右側）に被さっている。第２面部材４０は、注出路画成部２３の裏側（図４において下、図５において左側）に被さっている。これら第１、第２面部材３０，４０どうしの間に注出路画成部２３が挟まれている。すなわち、第１面部材３０及び第２面部材４０が、注出路画成部２３を挟んで対向している。第１、第２面部材３０，４０どうしの対向方向ＤＲ１（図４（ａ）において上下）は、注出路画成部２３に対して直交又は交差している。
【００１６】
詳しくは、図３（ａ）及び図４（ａ）に示すように、第１面部材３０は、表板部３１と、周縁壁３２とを一体に含む。表板部３１は、少し横長の四角形の平板状になっている。この表板部３１が、注出路画成部２３の表側面を覆っている。周縁壁３２は、表板部３１の周縁部の全周から裏側（図４において下）へ向けて突出されている。図２及び図４（ａ）に示すように、第１面部材３０の上縁（図４の紙面奥）及び下縁（図４の紙面手前）における周縁壁３２の突出高さは、先端側（図４において右側）へ向かうにしたがって小さくなっている。このため、表板部３１が、注出路画成部２３の先端側（右側）に向かうにしたがって第２面部材４０に近づくように、対向方向ＤＲ１と直交する方向に対して少し斜めになっている。対向方向ＤＲ１と直交する方向に対する表板部３１のなす角度αは、好ましくは、０°＜α≦３０°である。
【００１７】
図３（ｃ）及び図４（ａ）に示すように、第２面部材４０は、裏板部４１と、周縁壁４２とを一体に含む。裏板部４１は、表板部３１と同様の概略四角形になっている。この裏板部４１が、注出路画成部２３の裏側面を覆っている。周縁壁４２は、裏板部４１の周縁部の全周から表側（図４において上）へ向けて少しだけ突出されている。
【００１８】
図５に示すように、第１面部材３０及び第２面部材４０は、注出路２３ａを上下方向（路幅方向）に跨いでいる。そして、第１面部材３０及び第２面部材４０の上下方向の互いに同じ側の端部どうしが、互いに接合されている。つまり、周縁壁３２，４２の上側の壁部分どうしが互いに接合されるとともに、周縁壁３２，４２の下側の壁部分どうしが互いに接合されている。
【００１９】
図５においては、周縁壁３２，４２がそれぞれ袋本体２のヒートシール部２９に溶着されることで、袋本体２を介して周縁壁３２，４２どうしが互いに接合されている。これに代えて、袋本体２のヒートシール部２９に貫通孔を形成し、この貫通孔を通して、周縁壁３２，４２どうしが直接的に嵌合や溶着等によって接合されていてもよい。前記貫通孔は、周縁壁３２，４２の周方向の数箇所と対応する位置に形成すればよく、周縁壁３２，４２どうしは前記貫通孔の部分で互いに接合されていればよい。
【００２０】
このように、周縁壁３２，４２どうしが袋本体２を介して接合されるか、又は袋本体２の貫通孔を通して直接的に接合されることによって、第１面部材３０及び第２面部材４０どうしが互いに接合されるとともに、袋開閉装置３が袋本体２に接合されている。好ましくは、袋開閉装置３は、液袋１の製造時に袋本体２と接合される。
【００２１】
図４（ａ）に示すように、第１面部材３０の周縁壁３２における基端側（図４において左側）の壁部分には、切欠口３２ｃが形成されている。この切欠口３２ｃに注出路２３ａの基端側（左側）の部分が通されている。また、図２及び図４（ａ）に示すように、第１面部材３０の周縁壁３２における先端側（図４において右側）の壁部分には、切欠口３２ｄが形成されている。この切欠口３２ｄに注出路２３ａの先端側（右側）の部分が通されている。
【００２２】
図２及び図３に示すように、第１面部材３０の表板部３１には、ガイド穴３１ａが形成されている。ガイド穴３１ａは、表板部３１を厚さ方向に貫通するとともに、注出路２３ａの延出方向（図３において左右）に沿って細長く延びている。ガイド穴３１ａの幅方向（図３において上下）の両縁が、ガイド部３５を構成している。ガイド部３５は、注出路２３ａの延出方向（左右）に沿っている。厳密には、ガイド部３５は、表板部３１の傾斜に合わせて、先端側（図３において右）に向かうにしたがって第２面部材４０に近づくように、対向方向ＤＲ１と直交する方向に対して僅かな角度αだけ傾斜されている。
【００２３】
図２及び図４に示すように、裏板部４１の内側面（第１面部材３０との対向面）における先端側（右側）の部位には、受け部４５が設けられている。受け部４５は、裏板部４１の内側面から第１面部材３０へ向かって隆起されている。受け部４５の裏板部４１からの隆起高さは、周縁壁４２の突出高さと等大である。受け部４５の頂面（受け面４５ａ）は、周縁壁４２の突出端面と面一に連なる平坦面になっている。なお、受け部４５が、周縁壁４２より低くてもよく、周縁壁４２より高くてもよい。
【００２４】
裏板部４１の内側面における受け部４５の基端側部（開位置側部、図２及び図４において左側部）には、逃げ斜面４６が形成されている。逃げ斜面４６は、基端側（左側）に向かうにしたがって第１面部材３０から遠ざかるように傾斜されて、裏板部４１の内側面に連なっている。
【００２５】
図２に示すように、第１面部材３０にスライダ５０が取り付けられている。図４及び図５（ａ）に示すように、スライダ５０は、スライド釦５１と、係止脚部５２とを含む。スライド釦５１は、板状になっており、表板部３１の表側に配置されるとともに、ガイド穴３１ａの幅方向（図５において上下）の両側に張り出している。係止脚部５２は、スライド釦５１の裏面から突出してガイド穴３１ａに挿通されている。さらに、図４（ａ）及び図５（ａ）に示すように、係止脚部５２は、表板部３１の裏側においてガイド穴３１ａの幅方向（図５において上下）の両側及び先端側（図４において右）へ張り出している。この張り出し部分が、係止爪５２ａを構成している。この係止爪５２ａが、ガイド穴３１ａの縁すなわちガイド部３５に係止されている。
【００２６】
これによって、スライダ５０が、ガイド部３５の延び方向（スライド方向）に沿って開位置と閉位置との間でスライド可能になるとともに、そのスライド方向と交差する方向（対向方向ＤＲ１及びガイド穴３１ａの幅方向）には変位不能になっている。言い換えると、ガイド部３５は、スライダ５０を、開位置と閉位置との間でスライド方向に案内可能かつ脱落不能に係止している。スライダ５０のスライド方向は、表板部３１の傾きに対応して、対向方向ＤＲ１と直交する方向に対して僅かな角度αだけ傾いている。
なお、スライダ５０の組み立て性を考慮して、スライド釦５１と係止脚部５２とを別体で作製した後、第１面部材３０への取り付け時にこれらスライド釦５１と係止脚部５２とを互いに連結して一体化してもよい。
【００２７】
図３（ｂ）及び図４（ｂ）に示すように、スライダ５０が開位置のとき、係止脚部５２がガイド穴３１ａの基端側（左側）の端縁に突き当たる。このとき、スライダ５０が、受け部４５よりも基端側（左側）に位置している。
【００２８】
図３（ａ）及び図４（ａ）に示すように、スライダ５０が閉位置のとき、係止脚部５２がガイド穴３１ａの先端側（右側）の端縁に突き当たる。スライダ５０の閉位置は、開位置よりも注出路２３ａの延出方向の先端側（図３及び図４において右）に設定されている。
【００２９】
係止脚部５２の裏面（図４において下面）における先端側（右側）の部分は、押え付け部５２ｂを構成している。押え付け部５２ｂは、対向方向ＤＲ１に対して直交する平坦面になっている。スライダ５０が閉位置のとき、押え付け部５２ｂと受け部４５とが前記対向方向ＤＲ１に互いに対向する。
なお、係止脚部５２の裏面における押え付け部５２ｂよりも基端側（図４において左側）の部分は、基端（左）に向かうにしたがって第２面部材４０から遠ざかるように傾く斜面となっている。
【００３０】
前記の液袋１を使用する際は、注出路画成部２３の先端部２３ｄを、例えば図１の二点鎖線ＣＬ１に沿って切除する。これによって、図４（ａ）に示すように、注出路画成部２３の切り口が注出口２３ｅとなり、液袋１を開封できる。次に、図３（ｂ）及び図４（ｂ）に示すように、スライダ５０を開側（左側）へスライドさせて開位置にする。これによって、スライダ５０と受け部４５とが互いにスライド方向にずれ、注出路画成部２３がスライダ５０から解放（挟み付けが解除）される。したがって、液袋１の液室画成部２１を押すことによって、図５（ｂ）に示すように、内容液９を、注出路２３ａに押し出して、注出口２３ｅから注出することができる。
【００３１】
その後、液袋１を閉じる際は、スライダ５０を閉側（右側）へスライドさせる。このとき、受け部４５の基端側（左）が逃げ斜面４６となっているために、係止脚部５２が受け部４５の角に引っ掛かってスライダ５０がスライド不能になるのを回避できる。やがて、図４（ａ）及び図５（ａ）に示すように、スライダ５０が閉位置に達することで、押え付け部５２ｂと受け部４５とが対向し、これら押え付け部５２ｂ及び受け部４５の間に注出路画成部２３が挟み付けられる。これによって、注出路画成部２３における表裏両側のフィルム２ａ，２ｂどうしがぴったり合わさり、注出路２３ａが押し潰されて注出口２３ｅが閉止される。これによって、内容液９が注出口２３ｅから漏れるのを防止できる。また、スライダ５０の係止爪５２ａが、注出路画成部２３を介して受け部４５とガイド部３５とによって挟み付けられるため、スライダ５０を閉位置に拘束することができる。
また、スライダ５０の閉位置が開位置よりも注出路２３ａの延出方向の先端側に設けられているため、注出路２３ａのできるだけ先端側の部分を閉止することができる。
【００３２】
しかも、ガイド部３５が傾斜されているため、スライダ５０は、前記閉側へのスライドに伴って前記対向方向ＤＲ１の第２面部材４０側へ変位する。このため、閉位置のスライダ５０は、注出路画成部２３を介して受け部４５に強く押し付けられる。したがって、注出路画成部２３が、スライダ５０と受け部４５との間に強く挟み付けられるとともに、スライダ５０の係止爪５２ａが、ガイド部３５と注出路画成部２３との間に強く挟み付けられる。これによって、注出口２３ｅを確実に閉止することができるとともに、スライダ５０を閉位置に確実に拘束することができる。この結果、内容液９が注出口２３ｅから漏れるのを確実に防止することができる。また、閉時におけるスライダ５０及び受け部４５どうしの当接幅ｗ（図４（ａ））が小さくても注出路２３ａを確実に塞ぐことができる。
【００３３】
また、反対に、スライダ５０を閉位置から開位置へスライドさせる時は、ガイド部３５の傾斜によって、スライダ５０が第２面部材４０から遠ざかる向きに変位する。したがって、スライダ５０のスライドのストロークが小さくても、開位置のスライダ５０を受け部４５から確実かつ十分に離すことができる。したがって、内容液９を注出口２３ｅから確実に注出できるとともに、袋開閉装置３をコンパクトにすることができる。
【００３４】
本発明は、前記実施形態に限られず、その趣旨を逸脱しない範囲内で種々の改変をなすことができる。
例えば、液袋１の内容液９（液体）は、化粧液に限られるものではなく、シャンプー、リンス、液体洗剤、飲用液、薬液等であってもよい。内容液９の粘性や１回当たりの一般的な使用量等に応じて、袋開閉装置３の対向方向ＤＲ１に沿う厚さや、切欠口３２ｃ，３２ｄの対向方向ＤＲ１に沿う開口度を設定することが好ましい。これによって、注出時のコンダクタンスや注出量を調節することができる。
第１面部材３０の表板部３１ひいてはガイド部３５が、斜めでなくてもよく、第１、第２面部材３０，４０どうしの対向方向ＤＲ１と直交していてもよい。ガイド部３５の延び方向ひいてはスライダ５０のスライド方向が、対向方向ＤＲ１と直交する方向であってもよい。
袋開閉装置３は、必ずしも液袋１の製造時に袋本体２と一体化される必要は無く、エンドユーザーが、開封した袋本体２に袋開閉装置３を取り付けることにしてもよい。袋開閉装置３が袋本体２に対して着脱可能であってもよく、袋開閉装置３を複数の袋本体２に対して使い回しできるようにしてもよい。
【産業上の利用可能性】
【００３５】
本発明は、例えば化粧液、シャンプー、リンス、液体洗剤、飲用液、薬液等の液体を貯え、必要に応じて注出するパウチ等の液袋に適用できる。
【符号の説明】
【００３６】
１      液袋
２      袋本体
９      内容液（液体）
２１    液室画成部
２１ａ  液室
２３    注出路画成部
２３ａ  注出路
３      袋開閉装置
３０    第１面部材
３５    ガイド部
４０    第２面部材
４５    受け部
４６    逃げ斜面
５０    スライダ
ＤＲ１  対向方向
【図１】
2015231856.tif 000003
【図２】
2015231856.tif 000004
【図３】
2015231856.tif 000005
【図４】
2015231856.tif 000006
【図５】
2015231856.tif 000007